(57)【要約】【課題】ベルト本体のバックルへの係止状態を確実に保持する。【解決手段】可撓性を有した帯状のベルト本体３と、ベルト本体３の基端に設けられたバックル５とを備え、ベルト本体３の先端側をバックル５に係止可能とする衣服用ベルト具１において、ベルト本体３は、先端側の裏面に凹凸状の複数の係止部７が連設され、前記バックル５は、揺動可能に支持されて該揺動により一端部２９が係止部７に係合可能な係止片２３と、係止片２３を揺動させ一端部２９の係止部７に対する係合を付勢するスプリング２５と、係止片２３に係合しカム作用により係止片２３をスプリング２５に抗して揺動させ一端部２９の係止部７に対する係合を解除する操作ロッド２７とを備えたことを特徴とする。【選択図】　　　図２
2004135724.tif 000002
【特許請求の範囲】
【請求項１】
可撓性を有した帯状のベルト本体と、該ベルト本体の基端に設けられたバックルとを備え、前記ベルト本体の先端側を前記バックルに係止可能とする衣服用ベルト具において、
前記ベルト本体は、前記先端側の裏面に凹凸状の複数の係止部が連設され、
前記バックルは、揺動可能に支持されて該揺動により一端部が前記係止部に係合可能な係止片と、該係止片を揺動させ前記一端部の前記係止部に対する係合を付勢するスプリングと、前記係止片に係合しカム作用により前記係止片を前記スプリングに抗して揺動させ前記一端部の前記係止部に対する係合を解除する操作部材とを備えたことを特徴とする衣服用ベルト具。
【請求項２】
請求項１記載の衣服用ベルト具であって、
前記操作部材は、前記バックルに戻し付勢力に抗して押圧操作自在に支持され前記係止片に係合するカム面を備えた操作ロッドであることを特徴とする衣服用ベルト具。
【発明の詳細な説明】
【０００１】
【発明の属する技術分野】
本発明は、ベルト本体の一端に設けられたバックルに、ベルト本体の他端側を係止可能とする衣服用ベルト具に関する。
【０００２】
【従来の技術】
従来の衣服用ベルト具としては、例えば、装着を容易にするなどのためにベルト本体の基端に設けたバックルに、ベルト本体の先端側を挿通するだけで係止できるようにしたものがある。
【０００３】
前記ベルト本体の先端側裏面には、凹凸状の複数の係止部が設けられている。前記バックルは、ベルト本体の先端側を挿通するベルト挿通部を備えている。このバックルには、ベルト挿通部内に出没するように回動可能に係止片が設けられている。すなわち、係止片は、バックルに回動可能に取り付けられた操作部に連結され、その回動操作により回動するようになっている。また、係止片は、前記操作部の非回動時であっても操作部への連結部分を支点として揺動自在になっている。
【０００４】
このような衣服用ベルト具では、係止片を予めベルト挿通部内に突出するように回動させておき、ベルト挿通部にベルト本体の先端を挿通する。この状態で、ベルト本体の先端側をさらに引き込むとベルト本体の先端側及び係止部が係止片を押圧して揺動させる。この揺動により係止片は順次係止部を乗り越える。所望の位置でベルト本体の引き込みを止めたときに係止片が係止部に係合する。この結果、衣服用ベルト具では、バックルにベルト本体の先端側を挿入するだけで該ベルト本体をバックルに係止させることができ、装着を容易に行うことができる（例えば、特許文献１参照）。
【０００５】
【特許文献１】
実公昭４６−２７６２８号
【０００６】
【発明が解決しようとする課題】
しかしながら、従来の衣服用ベルト具では、係止片が操作部の非回動時であっても操作部への連結部分を支点として揺動自在になっているため、係止部に係合した状態で揺動することがある。このため、係止片の係止部への係止が容易に解除され、バックルに対してベルト本体の係止が外れ易くなっていた。
【０００７】
そこで、本発明は、ベルト本体のバックルへの係止を確実に保持することができる衣服用ベルト具の提供を目的とする。
【０００８】
【課題を解決するための手段】
上記目的を達成するために請求項１の発明は、可撓性を有した帯状のベルト本体と、該ベルト本体の一端に設けられたバックルとを備え、前記ベルト本体の他端側を前記バックルに係止可能とする衣服用ベルト具において、
前記ベルト本体は、前記他端側の裏面に凹凸状の複数の係止部が連設され、
前記バックルは、揺動可能に支持されて該揺動により一端部が前記係止部に係合可能な係止片と、該係止片を揺動させ前記一端部の前記係止部に対する係合を付勢するスプリングと、前記係止片に係合しカム作用により前記係止片を前記スプリングに抗して揺動させ前記一端部の前記係止部に対する係合を解除する操作部材とを備えたことを特徴とする。
【０００９】
請求項２の発明は、請求項１記載の衣服用ベルト具であって、前記操作部材は、前記バックルに戻し付勢力に抗して押圧操作自在に支持され前記係止片に係合するカム面を備えた操作ロッドであることを特徴とする。
【００１０】
【発明の効果】
請求項１の発明によれば、可撓性を有した帯状のベルト本体と、該ベルト本体の一端に設けられたバックルとを備え、前記ベルト本体の他端側を前記バックルに係止可能とする衣服用ベルト具において、前記ベルト本体は、前記他端側の裏面に凹凸状の複数の係止部が連設され、前記バックルは、揺動可能に支持されて該揺動により一端部が前記係止部に係合可能な係止片と、該係止片を揺動させ前記一端部の前記係止部に対する係合を付勢するスプリングと、前記係止片に係合しカム作用により前記係止片を前記スプリングに抗して揺動させ前記一端部の前記係止部に対する係合を解除する操作部材とを備えている。
【００１１】
従って、係止片の一端部の係止部に対する係合をスプリングの付勢により保持することができ、バックルへのベルト本体の係止状態を確実に保持することができる。
【００１２】
また、操作部材を操作し、カム作用により前記係止片を前記スプリングに抗して揺動させ前記一端部の前記係止部に対する係合を容易に解除することができる。
【００１３】
請求項２の発明によれば、請求項１の発明の効果に加え、前記操作部材は、前記バックルに戻し付勢力に抗して押圧操作自在に支持され前記係止片に係合するカム面を備えた操作ロッドである。
【００１４】
従って、操作ロッドを押圧操作することでカム面を係止片に対して係合させ、カム作用により前記係止片を前記スプリングに抗して揺動させ前記一端部の前記係止部に対する係合を容易に解除することができる。
【００１５】
【発明の実施の形態】
以下、本発明に係る衣服用ベルト具の一実施形態について図面を参照して説明する。図１は本発明の一実施形態に係る衣服用ベルト具を示す斜視図、図２（ａ）は図１に示す衣服用ベルト具の係合状態の要部断面図、図２（ｂ）は図２（ａ）に示す衣服用ベルト具のＳＡ−ＳＡ矢視断面図、図３（ａ）は図１に示す衣服用ベルト具の係合離脱状態の要部断面図、図３（ｂ）は図３（ａ）に示す衣服用ベルト具のＳＡ−ＳＡ矢視断面図である。
【００１６】
本実施形態の衣服用ベルト具１は、図１及び図２（ａ）に示すように、長尺帯状のベルト本体３と、該ベルト本体３の長手方向一端に設けられたバックル５とを備えている。
【００１７】
前記ベルト本体３は、例えば、牛皮などの皮革や塩化ビニールなどの合成樹脂などからなり、可撓性を有している。このベルト本体３の他端側（反バックル側）には、裏面長手方向に沿って凹部３ａが設けられ、凹部３ａ内に凹凸状の複数の係止部７が連設されている。
【００１８】
前記複数の係止部７は、凹部３ａと共に硬質ゴムなどにより一体に形成され、複数の係止部７を備えた凹部３ａが、ベルト本体３の長手方向に添って取り付けられている。従って、係止部７は、ベルト本体３の長手方向に添って所定の間隔を有して配置されている。これらの係止部７は、それぞれ前記凹部３ａの底面から突出する凸状に形成され、凹部３ａ内全体として凹凸状となっている。各係止部７は、ベルト本体３の長手方向一端側に向いた係合面７ａと傾斜したガイド面７ｂとからなっている。
【００１９】
前記係合面７ａは、図２（ａ）に示すように、凹部３ａの底面から起立し、前記凹部３ａの開口に至るまでベルト本体３の長手方向に対して略直交して形成されている。前記ガイド面７ｂは、係合面７ａの先端から凹部３ａの底面へ向かって傾斜形成されている。
【００２０】
前記バックル５は、鉄などの金属からなり、図１に示すように、ベルト本体３の一端に取付部９を介して取り付けられている。このバックル５は、矩形板状のバックル本体１１に、幅方向（図１においては上下方向）の両側から長手方向に沿って裏面側（図１においては手前側）に向けて壁部１３が突設されている。これらの壁部１３間において、バックル５には図２（ａ）に示すようにベルト本体３の他端側を挿通するベルト挿通部１５が形成されている。
【００２１】
前記バックル５の壁部１３には、図１及び図２（ａ）に示すように、該壁部１３の長手方向一側（図１においては左右方向右側）においてそれぞれ支持部１７が設けられている。バックル５には、支持部１７の取付軸１９にベルト本体取付部９が回転可能に支持されている。このベルト本体取付部９に前記ベルト本体３の基端が支持されている。また、壁部１３には、長手方向端部間に掛け渡すように挿通壁部２１が設けられている。
【００２２】
前記バックル５は、さらに係止片２３とスプリング２５と操作部材としての操作ロッド２７とを備えている。
【００２３】
前記係止片２３は、前記バックル５に揺動可能に支持されて、該揺動により一端部２９が前記係止部７に係合可能となっている。前記バックル５には、前記支持部１７と挿通壁部２１との間において、前記壁部１３から一体に結合壁３１が突設されている。結合壁３１間には、ケース３３が取り付けられている。このケース３３に前記係止片２３の他端部３０が軸３３ａによって回転自在に支持されている。係止片２３には、カム作用凹部３５が設けられている。
【００２４】
前記スプリング２５は、前記係止片２３を揺動させ、前記一端部２９の前記係止部７に対する係合を付勢するものである。このスプリング２５は、前記ケース３３の底部３７に支持され、この底部３７と前記係止片２３との間に介設されている。
【００２５】
前記操作ロッド２７は、前記係止片２３に係合し、カム作用により前記係止片２３を前記スプリング２５に抗して揺動させ前記一端部２９の係止部７に対する係合を解除する操作部材とを構成している。操作ロッド２７は、断面円形に形成され、外端に頭部４０が設けられている。操作ロッド２７の内端側は断面円形の略半分がカットされ、当接面４１と傾斜したカム面４３とが設けられている。この操作ロッド２７は、前記ケース３３内に設けられたロッド支持部３９に移動自在に支持されている。ロッド支持部３９内には、スプリング４５が収納されている。スプリング４５は操作ロッド２７に戻し付勢力、すなわち図２（ｂ）の反矢印Ａ方向に付勢力を付与している。
【００２６】
前記ロッド支持部３９には、部分的に切欠４９が設けられ、前記係止片２３のロッド支持部３９を貫通した揺動を可能としている。これによって前記操作ロッド２７の当接面４１が前記係止片２３のカム作用凹部３５に当接係合している。
【００２７】
前記衣服用ベルト具の使用時には、まずバックル５のベルト挿通部１５に挿通壁部２１側からベルト本体３の先端側を挿通させる（図２においてバックル５の左側から右側へ挿通させる。）。この挿通によって、ベルト本体３の先端側をバックル５に対しさらに引き込むと、ある瞬間において係止片２３がスプリング２５の付勢力により軸３３ａを中心に回動し、一端部２９が係止部７の係合面７ａに図２のように係合する。
【００２８】
前記ベルト本体３の先端側をバックル５に対しさらに連続して引き込むと、係止片２３の一端部２９が係止部７のガイド面７ｂを相対的に上り、図３のようにスプリング２５の付勢力に抗して係止片２３が揺動する。係止片２３の一端部２９が係止部７を乗り越えると、凹部３ａ内に落ち込み再び係合面７ａに係合可能となる。
【００２９】
このような操作によって、ベルト本体３とバックル５とで為すループが使用者のサイズに合ったところでベルト本体３の引き込みが停止される。これによってスプリング２５の付勢力により、係止片２３が図２の状態を維持し、一端部２９が係合面７ａに係合してバックル５に対するベルト本体３の引き戻し方向の緩みが阻止される。
【００３０】
次に、衣服用ベルト具１を外すときには、まず操作ロッド２７の頭部４０を図２（ｂ）の矢印Ａ方向へスプリング４７の付勢力に抗して押し込める。これによって操作ロッド２７の当接面４１が係止片２３のカム作用凹部３５に対し摺動し、その後カム面４３がカム作用凹部３５に至る。これによって、カム作用凹部３５は図３（ｂ）のように操作ロッド２７に乗り上げ、図２から図３の状態へ軸３３ａを中心に揺動する。この揺動によって、係止片２３の一端部２９が係止部７から離脱し、ベルト本体３はバックル５に対してフリーの状態となる。この状態で、ベルト本体３をバックル５から引き抜くことで衣服用ベルト具１を取り外すことができる。
【００３１】
このように、係止片２３の一端部２９の係止部７に対する係合をスプリング２５の付勢により保持することができ、バックル５へのベルト本体３の係止状態を確実に保持することができる。
【００３２】
また、操作ロッド２７を押圧操作することでカム面４３を係止片２３に対して係合させ、カム作用により前記係止片２３を前記スプリング２５に抗して揺動させ前記一端部２９の前記係止部７に対する係合を容易に解除することができる。
【図面の簡単な説明】
【図１】本発明の一実施形態に係る衣服用ベルト具の斜視図である。
【図２】一実施形態に係り、（ａ）は係合状態を示す要部断面図、（ｂ）は（ａ）のＳＡ−ＳＡ矢視断面図である。
【図３】一実施形態に係り、（ａ）は係合離脱状態の要部断面図、（ｂ）は（ａ）のＳＡ−ＳＡ矢視断面図である。
【符号の説明】
１　衣服用ベルト具
３　ベルト本体
５　バックル
７　係止部
７ａ　係合面
７ｂ　ガイド面
２３　係止片
２５　スプリング
２７　操作ロッド（操作部材）
２９　一端部
【図１】
2004135724.tif 000003
【図２】
2004135724.tif 000004
【図３】
2004135724.tif 000005